(57)【要約】      （修正有）【課題】夜間放射冷却現象により太陽光発電電子パネルに霜や露が付着し発電効率が低下したり、放電や漏電が発生して耐久性が劣化することを防止する太陽光発電用電子パネルを提供する。【解決手段】夜間放射冷却現象で滑昇が発生しないように仕切り板を使用し滑昇の発生が起きないようにすることで太陽光発電電子パネル一枚の表面に夜間霜や露の付着を防止する。【選択図】なし【特許請求の範囲】
【請求項１】
従来型太陽光発電用電子パネル一枚の表面に夜間放射冷却現象で滑昇が発生し太陽光発電用電子パネル一枚に霜や露が付着する現象を、仕切り板を使用して放射冷却現象で滑昇の発生を起こさないようにする、太陽光発電用電子パネル一枚の表面に夜間の霜や露の付着防止方法を提供する。
【発明の詳細な説明】
【技術分野】
【０００１】本発明は、太陽光発電用  電子パネル一枚の表面に夜間放射冷却現象で滑昇が発生し夜間霜や露が付着する  霜や露の付着防止方法
【背景技術】
【０００２】現在の太陽光発電用  電子パネル一枚の表面に夜間放射冷却現象で滑昇が発生し夜間、霜や露が付着すると、発電の妨げになるだけではなく、放電や漏電にもつながり、悪い盈虚が大である。
【先行技術文献】
【非特許文献】
【発明の概要】
【発明が解決しようとする課題】
【０００３】すれには次の問題点が考えられる。
（イ）太陽光発電用  電子パネル一枚の表面に、夜間放射冷却現象で滑昇が発生し  夜間      霜や露が付着すると発電効率が妨げられる。
（ロ）太陽光発電用  電子パネル一枚の表面に夜間放射冷却現象で滑昇が発生し電気配線      に、夜間霜や露が付着すると放電や漏電が発生する。
（ハ）太陽光発電用  電子パネル一枚の表面に、夜間放射冷却現象で滑昇が発生し夜間霜      や露が付着すると耐久性の期間も短くなる。
本発明は、以上の問題を解決する為のものである。
【課題を解決するための手段】
【０００４】従来型太陽光発電用  電子パネル一枚の表面に太陽光を受けやすいように斜めに向けて設置してあるために、昼間太陽光の熱で太陽光発電用  電子パネル一枚の表面が、暖められて夜間に、気温が下がり太陽光発電用  電子パネル一枚の表面に、夜間放射冷却現象で滑昇が発生して、太陽光発電用  電子パネル一枚の表面に夜間霜や露が付着します、この状態を解決する手段は、夜間放射冷却現象で滑昇の発生を起きないように、滑昇の発生を仕切り板を使用して止めれば、夜間霜や露の付着防止が出来る。太陽光発電用  電子パネル一枚の表面に夜間放射冷却現象で、霜や露の付着防止する方法である。
【発明の効果】
【０００５】従来型太陽光発電用  電子パネル、一枚の表面に夜間、放射冷却現象で滑昇が発生し、夜間霜や露が付着しないと、太陽の日の出と共に太陽光発電  電子パネルに太陽光が当たり始まり、発電効率が上がり放電や漏電を起こさないし、耐久性も大変良くなる。
【発明を実施するための最良の形態】
【０００６】従来型の（１）太陽光発電  電子パネル一枚が太陽光を受けやすいように斜めに向けて設置してあるために、昼間太陽光の熱で（１）太陽光発電用  電子パネル一枚の表面が暖められて夜間に、気温が下がり（１）太陽光発電用  電子パネル、一枚の表面に夜間  放射冷却現象で滑昇が発生し夜間霜や露の付着が起きないように、滑昇の発生を板ガラス製で板型形状で製作した（２）仕切り板を使用し（１）太陽光発電  電子パネル一枚の表面に接着剤を、使用して横方向左右いっぱいに、直角に立てて取り付け、立て方向には、２から３段を（２）仕切り板を取り付けて、  夜間放射冷却現象で滑昇の発生が起きないように（２）仕切り板を使用し、霜や露の付着を防止する方法を特徴する（１）太陽光発電用  電子パネル一枚の表面に夜間放射冷却現象で滑昇の発生を防ぐ夜間霜や露の付着防止する方法を提供する
【図面の簡単な説明】
【符号の説明】
【０００７】（１）太陽光発電電子パネル
（２）仕切り板
2015163044.tif 000002
【手続補正書】
【提出日】平成26年6月5日(2014.6.5)
【手続補正１】
【補正対象書類名】明細書
【補正対象項目名】全文
【補正方法】変更
【補正の内容】
【発明の詳細な説明】
【技術分野】
【０００１】本発明は、太陽光発電用  電子パネル一枚の表面に夜間放射冷却現象により温度変化で滑昇が発生し夜間霜や露がパネルに付着する  霜や露の付着防止方法
【背景技術】
【０００２】現在の太陽光発電用  電子パネル一枚の表面に夜間放射冷却現象により温度変化で滑昇が発生し夜間、霜や露が付着すると付着が完全に取りきれるまでに時間がかかり、発電の妨げになるだけではなく太陽光発電用  電子パネルに水分が付着すると放電や漏電にもつながり、電子パネルの劣化も早める
【発明の概要】
【発明が解決しようとする課題】
【０００３】    従来より次のような問題点があった。
（イ）太陽光発電用  電子パネル一枚の表面に、夜間放射冷却現象により温度変化で滑昇が発生し  夜間霜や露が付着すると昼間の太陽光発電効率が妨げられる。
（ロ）太陽光発電用  電子パネル一枚の表面に夜間放射冷却現象により温度変化で滑昇が発生し電気配線に放電や漏電が発生する。
（ハ）太陽光発電用  電子パネル一枚の表面に、夜間放射冷却現象により温度変化で滑昇が発生し夜間霜や露が付着すると水分によりパネルの劣化も早める。
本発明は、以上の問題を解決する為のものである。
【課題を解決するための手段】
【０００４】従来型太陽光発電用  電子パネル一枚の表面に太陽光を受けやすいように斜めに向けて設置してあるために、昼間太陽光の熱で太陽光発電用  電子パネル一枚の表面が、暖められて夜間に、気温が下がり太陽光発電用  電子パネル一枚の表面に、夜間放射冷却現象により温度変化で滑昇が発生して、太陽光発電用  電子パネル一枚の表面に夜間霜や露が付着します、この状態を解決する手段は、夜間放射冷却現象により温度変化で滑昇の発生が起きないように、滑昇の発生の流れを強化ガラスで板状に製作した  仕切り板を使用して流れを遮断すれば、夜間霜や露の付着防止が出来る。太陽光発電用  電子パネル一枚の表面に、霜や露の付着防止する方法である。
【発明の効果】
【０００５】従来型太陽光発電用  電子パネル、一枚の表面に夜間、放射冷却現象により温度変化で滑昇が発生し、夜間霜や露が付着しない状態だと、太陽の日の出と共に太陽光発電用  電子パネルに太陽光が当たり始まり、発電効率が上がり放電や漏電を起こさないし、劣化も良くなる。
【発明を実施するための最良の形態】
【０００６】従来型の（１）太陽光発電  電子パネル一枚が太陽光を受けやすいように斜めに向けて設置してあるために、昼間太陽光の熱で（１）太陽光発電用  電子パネル一枚の表面が暖められて夜間に、気温が下がり（１）太陽光発電用  電子パネル、一枚の表面に夜間  放射冷却現象により温度変化で滑昇が発生し夜間霜や露の付着が起きます
この状態を解決するには放射冷却現象により温度変化で滑昇の発生を強化ガラスで板状に製作した  ２）仕切り板を使用し（１）太陽光発電  電子パネル一枚の表面に（３）接着剤を、使用して横方向左右いっぱいに、直角に立てて取り付け、立て方向には、２から３段を（２）仕切り板を取り付けて、  夜間放射冷却現象により温度変化で滑昇の発生が起きないように（２）仕切り板を使用し遮断をすることで、霜や露の付着を防止する方法を特徴する（１）太陽光発電用  電子パネル一枚の表面に夜間放射冷却現象により温度変化で滑昇の発生を防ぐ夜間霜や露の付着防止する方法を提供する
【図面の簡単な説明】
【０００７】
【図１】太陽光発電用  電子パネルを設置する為の架台を製作しパネルを取り付ける太陽光電子パネルに板状の仕切り板を直角に立てて横方向左右いっぱいに取りつける
【符号の説明】
【０００８】  （１）太陽光発電電子パネル
（２）仕切り板
（３）接着剤
【手続補正２】
【補正対象書類名】図面
【補正対象項目名】全図
【補正方法】変更
【補正の内容】
【図１】
2015163044.tif 000003